(57)【特許請求の範囲】
【請求項１】
液透過性の表面シート、液不透過性の防漏シート、及び液保持性の吸収体を具備し、一対のレッグ部が形成されており、左右両側部に、それぞれ、立体ガード形成用のシート材が配されて一対の立体ガードが設けられている吸収性物品において、
一対の前記レッグ部には、ギャザーが形成されておらず、
吸収性物品の長手方向に沿って、非伸縮性で圧縮回復性を有する所定の高さの障壁部材が配されて、防漏障壁が形成されており、
前記防漏障壁は、前記レッグ部における前記立体ガードよりも吸収性物品の幅方向外方に位置する
吸収性物品。
【請求項２】
前記防漏障壁と前記立体ガードとの間にポケット部が形成されている請求項１記載の吸収性物品。
【請求項３】
前記防漏障壁は、前記吸収体の側縁よりも吸収性物品の幅方向外方に形成されている請求項１又は２に記載の吸収性物品。
【請求項４】
前記防漏障壁は、前記吸収体の側縁部上に形成されている請求項１又は２に記載の吸収性物品。
【請求項５】
前記の所定の高さが、２ｍｍ以上である請求項１〜４の何れかに記載の吸収性物品。
【請求項６】
前記障壁部材は、その圧縮弾性率が２×１０6〜１×１０8ｄｙｎ／ｃｍ2である請求項１〜５の何れかに記載の吸収性物品。
【発明の詳細な説明】
【０００１】
【発明の属する技術分野】
本発明は、漏れ防止性に優れた、使い捨ておむつ等の吸収性物品に関する。
【０００２】
【従来の技術及び発明が解決しようとする課題】
一般に、使い捨ておむつ等の吸収性物品においては、弾性体を長手方向に延伸させた状態で固定し、弾性体の収縮力を利用して身体を締め付ける、あるいはフィットさせることにより、モレを防止している。
【０００３】
しかし、このように漏れを防止する場合には、横手方向に伸びる多条のしわと隙間が発生し、その隙間を通ってモレが発生する場合がある。
このような漏れを防止しようとすると、隙間をなくすために締め付けをきつくする必要があり、そのため、特に乳幼児の肌に締め付け跡が残る。
また、従来の吸収性物品では、足回りを締め付けているに過ぎないため、運動によって徐々におむつがずれ落ちてしまう。
【０００４】
従って、本発明の目的は、レッグ部からの漏れ防止性に優れ、しかも着用者の脚回りに跡がつくことがなく、更にはズレ落ちにくい吸収性物品を提供することにある。
【０００５】
【課題を解決するための手段】
本発明は、液透過性の表面シート、液不透過性の防漏シート、及び液保持性の吸収体を具備し、一対のレッグ部が形成されており、左右両側部に、それぞれ、立体ガード形成用のシート材が配されて一対の立体ガードが設けられている吸収性物品において、一対の前記レッグ部には、ギャザーが形成されておらず、吸収性物品の長手方向に沿って、非伸縮性で圧縮回復性を有する所定の高さの障壁部材が配されて、防漏障壁が形成されており、前記防漏障壁は、前記レッグ部における前記立体ガードよりも吸収性物品の幅方向外方に位置する吸収性物品を提供することにより、前記目的を達成したものである。
【０００６】
【発明の実施の形態】
以下、本発明の吸収性物品の好ましい１実施形態について説明する。
第１の実施形態の吸収性物品としての使い捨ておむつ１は、図１及び２に示すように、液透過性の表面シート２、液不透過性の防漏シート３、及び液保持性の吸収体４を具備し、一対のレッグ部７が形成されており、左右両側部に、それぞれ、立体ガード形成用のシート材６１が配されて一対の立体ガード６が設けられている。
【０００７】
本実施形態の使い捨ておむつ１は、吸収体４を表面シート２と防漏シート３とにより狭持固定してなる。また、吸収体４は、拡散紙４１と吸収部４２とからなり、防漏シート３は、吸収体４の側部上方にまで巻き上げられている。
また、着用時に着用者の腹側に位置する腹側部Ａ及び背側に位置する背側部Ｂにおけるウエスト開口部８には、それぞれウエスト部弾性部材８１が配されてそれぞれウエストギャザーが形成されている。そして、背側部Ｂの左右両側縁部Ｂ１，Ｂ２には、それぞれ使い捨ておむつ止着用のファスニングテープ１１が設けられている。
また、立体ガード６は、それぞれ、細帯状のシート材６１を腹側のウエスト開口縁８２Ａから背側のウエスト開口縁８２Ｂにかけて配して形成されており、その自由縁端６３には、立体ガード弾性部材６４が配されてギャザーを形成している。シート材６１は、その長手方向端縁が、ウエスト開口部８側で表面シート２に固着されている。
【０００８】
而して、本実施形態の使い捨ておむつ１においては、一対のレッグ部７には、ギャザーが形成されておらず、おむつの長手方向に沿って非伸縮性で圧縮回復性を有する所定の高さの障壁部材９０が配されて、防漏障壁９が形成されている。
なお、本発明において「非伸縮性で圧縮回復性を有する」とは、ゴム弾性を有せず、伸び縮みはしないが、圧縮した際に元の形状に戻ろうとする性質は有することを意味する。
【０００９】
更に詳述すると、本実施形態において、防漏障壁９は、前記レッグ部７における立体ガード６よりもおむつの幅方向外方に位置しており、レッグ部７は、吸収体４の側縁４ａよりも外方に延出された、外層不織布（防漏シート３の表面に配された不織布）５により形成されており、障壁部材９０は、レッグ部７の外層不織布５上に配されている。また、立体ガード６形成用のシート材６１の長手方向側部は、障壁部材９０を挟持して、レッグ部７において外層不織布５に接着されて固定されている。従って、立体ガード６の基端６０は、レッグ部７における外層不織布５上において、防漏障壁９の内方に位置し、立体ガード６と防漏障壁９とによりポケット部９１が形成されている。また、これにより、防漏障壁９は、吸収体４の側縁４ａよりも吸収性物品の幅方向外方に形成されている。本実施形態においては、防漏障壁９は、レッグ部７のみならず、背側部Ｂから腹側部Ａにかけて配されているが、本発明においては、少なくとも着用者の股下に位置する部分である股下部Ｃにおけるレッグ部７に配されていれば良く、漏れ防止性向上の点からは更に背側部Ｂにも配されているのが好ましい。
防漏障壁９の高さＴは、２ｍｍ以上であるのが好ましく、５〜１０ｍｍであるのが更に好ましい。前記高さが２ｍｍ以上とすることにより、防漏効果や身体への密着性を向上させることができる。
【００１０】
また、防漏障壁９の幅Ｗは、例えば、乳児用の使い捨ておむつにおいては、２〜１５ｍｍとするのが好ましい。
また、防漏障壁９と基端６０との間隔ｔ1 は、０〜３０ｍｍとするのが好ましく、使い捨ておむつの外側縁７ａとの間隔ｔ2 は、２〜１０ｍｍとするのが好ましい。
【００１１】
次に、本実施形態の使い捨ておむつ１を構成する各部材の形成材料について説明する。
前記表面シート２、前記防漏シート３、前記吸収体４、前記ウエスト部弾性部材８１及び前記ファスニングテープ１１の形成材料としては、通常、使い捨ておむつに用いられるものを特に制限なく用いることができる。
【００１２】
また、前記シート材６１は、その耐水圧（撥水度）が、３．０ｇ／ｃｍ2 以上であるのが好ましく、５．０ｇ／ｃｍ2 以上であるのが更に好ましい。耐水圧を３．０ｇ／ｃｍ2 以上とすることにより、十分な防漏性が付与できる。
また、前記シート材６１は、そのＣＤ方向の強度が、１０００ｃＮ／５０ｍｍ以上であるのが好ましく、１２００ｃＮ／５０ｍｍ以上であるのが更に好ましい。強度を１０００ｃＮ／５０ｍｍ以上とすることにより、ファスニングテープのつけ根から破れが生じることがなくなる。
このような条件を満足する材料としては、スパンボンド不織布、スパンボンド−メルトブローン−スパンボンド（ＳＭＳ）不織布、ヒートロール不織布、スパンボンド−メルトブローン−メルトブローン−スパンボンド不織布等が挙げられる。
ここで、前記耐水圧、及び前記強度は、それぞれ、下記のようにして測定される。
耐水圧；断面積が９．６ｃｍ2 の円筒管に、ゴムパッキングを介して不織布を挟み、円筒管の上部に設けた注入口からイオン交換水を、１分間に４ｇの注入速度で注入し、そのイオン交換水が不織布を通って下に漏れるまでの時間を測定し、次式にしたがって耐水圧を求める。
耐水圧（ｇ／ｃｍ2 ）＝測定時間（秒）×（４ｇ／６０秒）／９．６ｃｍ2 
ＣＤ強度；原反の流れ方向（ＭＤ）に幅２５ｍｍ、流れ方向と直交する方向（ＣＤ）に長さ１５０ｍｍの試験片を切り出した。この試験片について、テンシロン引張試験機〔（株）オリエンテック社製〕を用い、チャック間５０ｍｍ、ＣＤ方向の引張速度３００ｍｍ／ｍｉｎで引張試験を行い、破断時の強度を測定し、これをＣＤ強度とした。
前記立体ガード弾性部材６４は、従来公知の弾性部材を制限なく用いることができる。
【００１３】
前記障壁部材９０における圧縮回復性を示す指標としては、圧縮弾性率を用いることができ、障壁部材９０の圧縮弾性率は２×１０6 〜１×１０8 ｄｙｎ／ｃｍ2 であるのが好ましく、５×１０6 〜５×１０7 ｄｙｎ／ｃｍ2 であるのが更に好ましい。圧縮弾性率が２×１０6 ｄｙｎ／ｃｍ2 以上であることにより、装着時に足まわりにフィットし、１×１０8 ｄｙｎ／ｃｍ2 以下であることにより、装着時の違和感を抑えることができる。
ここで圧縮弾性率は、下記のように測定される。
被測定物のシートを長手方向に１７０ｍｍ、幅方向に４０ｍｍの大きさにカットして帯状シートを得、得られた帯状シートを円筒形にしたものを測定サンプルとする。尚、測定サンプルの接合部分は、２ｍｍとし、即ち、帯状シートの長手方向両端部がそれぞれ２ｍｍ重なるようにして、ステープラーで２ヶ所固定した。ついで、（株）オリエンテック社製テンシロンにて、５ｋｇの荷重を１０ｍｍ／ｍｉｎの速度で円筒上方より加重し、圧縮する。このときの圧縮変形量（ΔＬ）とそのときの加重（Ｆ）とが成す曲線の傾きを測定する（Ｆ／ΔＬ）。この値より被測定物のシートの厚みと長さにより得られる面積（Ａ）と円筒形の測定サンプルの初期の高さ（Ｌ）を用いて、下記の計算式により圧縮弾性率Ｅを得る。
Ｅ＝（Ｆ／ΔＬ）・（Ｌ／Ａ）〔ｄｙｎ／ｃｍ2 〕
このような圧縮弾性率を有する前記防漏障壁の形成材料としては、ポリエチレン、ポリウレタン、ポリエステル等の発泡体；ポリアクリル酸架橋ゲル（可塑化されたもの）、多糖類ゲル；熱可塑性エラストマー繊維を含む不織布あるいはエンボス処理されてなる３次元形状を有するエンボス不織布等が挙げられる。
【００１４】
本実施形態の使い捨ておむつは、通常の展開型の使い捨ておむつと同様に使用することができる。
そして、本実施形態の使い捨ておむつ１は、防漏障壁９が、実質的に非伸縮性であるため、面状に身体にフィットし、隙間を生じない。このため、まず立体ガード６で漏れを防止し、更に万一立体ガードを超えて漏れだした場合でも立体障壁９により、漏れを効果的に抑制することができ、しかもズレ落ちにくい。また、防漏障壁９と立体ガード６との間にポケット部９１が形成されるので、これにより、更に漏れ防止性が向上される。
また、レッグ部にギャザーがなく、防漏障壁９が伸縮性を有しないため、弾性体による締め付けがなく、肌にも優しく、着用者の脚回りに跡がつかないという効果が顕著に発揮される。
【００１５】
本実施形態の使い捨ておむつ１は、常法に従って、吸収体４及びウエスト弾性部材８１を表面シート２と防漏シート３とで挟持固定した後、外層不織布５を配し、レッグ部に障壁部材９０を配した後、シート材６１を配する等して得られる。
【００１６】
次に、本発明の吸収性物品の第２の実施形態について説明する。
尚、以下の説明においては、上述した第１の実施形態と異なる点について特に詳述する。特に説明しない点については、上述した第１の実施形態における説明が適宜適用される。
第２の実施形態の使い捨ておむつ１は、図３に示すように、防漏障壁９は、吸収体４の側縁部４ｂ上に形成されている。即ち、レッグ部７は、吸収体４の側縁部４ｂよりおむつの外方に位置する部分全体を指し、立体ガード６の基端６０は、表面シート２上に位置し、しかもポケット部９１が、防漏シートが巻き上げられていない部分に位置するようになされている。
【００１７】
このように、本発明において、「レッグ部」は、着用者の脚回りに当接する部分を意味し、その構成部材等にはよらないものである。
【００１８】
本実施形態の使い捨ておむつにおいても、上述の第１の実施形態の使い捨ておむつと同じ効果が奏される。この他、例えば、ポケット部９１を形成するシート材６１に開孔を多数設ける等すれば、立体ガードを超えた排泄物を再度吸収体に導くことができ、更に漏れ防止性を向上させることができる。
【００１９】
尚、上述の第１及び２の実施形態の説明においては、展開型の使い捨ておむつを例示して説明したが、本発明は、これに制限されず、パンツ型の使い捨ておむつや、更には失禁パットや生理用ナプキン等に適用できる。
【００２０】
【発明の効果】
本発明の吸収性物品は、レッグ部からの漏れ防止性に優れ、しかも着用者の脚回りに跡がつくことがなく、更にはズレ落ちにくいものである。
【図面の簡単な説明】
【図１】図１は、本発明の第１の実施形態としての使い捨ておむつの自由状態における表面シート側を示す斜視図である。
【図２】図２は、弾性部材を伸張状態とした状態における図１のＸ−Ｘ断面図である。
【図３】図３は、本発明の第２の実施形態としての使い捨ておむつ幅方向の一部断面図（図２相当図）である。
【符号の説明】
１  使い捨ておむつ
１１  ファスニングテープ
２  表面シート
３  防漏シート
４  吸収体
５  外層不織布
６  立体ガード
６０  基端
６１  シート材
６３  自由縁端
６４  立体ガード弾性部材
７  レッグ部
８  ウエスト開口部
８１  ウエスト弾性部材
９  防漏障壁
９０  防漏部材
９１  ポケット部
Ａ  腹側部
Ｂ  背側部
【図１】
0003948853.tif 000002
【図２】
0003948853.tif 000003
【図３】
0003948853.tif 000004